(57)【特許請求の範囲】
【請求項１】
外面に３次曲面が形成された容器本体を有し、該容器本体に多層タックラベルが貼着された容器であって、前記多層タックラベルは、透明な貼着部を有する第一ラベルと、前記貼着部に重なることなく前記貼着部と連設された表示部に剥離可能に貼着され且つ表示印刷層が設けられた第二ラベルとを備え、第一ラベルは、前記貼着部の大きさが前記表示部の大きさに比べて小さく設定され、貼着部が容器本体の３次曲面に貼着され、表示部は非接着状態であることを特徴とする多層タックラベル付き容器。
【請求項２】
前記第一ラベルは、透明なラベル基材と、該ラベル基材の裏面に積層された透明な粘着層と、ラベル基材の表面に積層された表示印刷層と、前記貼着部を残すように、粘着層に積層されたマスク印刷層とを備え、前記第二ラベルは、ラベル基材と、該ラベル基材の裏面に積層された粘着層と、ラベル基材の表面に積層された表示印刷層とを備えている請求項１に記載の多層タックラベル付き容器。
【請求項３】
前記第二ラベルのラベル基材は、蒸着フィルムからなる請求項２に記載の多層タックラベル付き容器。
【請求項４】
前記表示部は、容器本体から離間して該容器本体の胴部外周面から起立している請求項１乃至請求項３のうち何れか１項に記載の多層タックラベル付き容器。
【発明の詳細な説明】
【０００１】
【発明の属する技術分野】
この発明は、例えば容器本体又は容器本体に装着された主ラベルに、付加的な表示を施すために貼着された多層タックラベル付き容器に関する。
【０００２】
【従来の技術】
従来、お茶やジュース等の清涼飲料水の容器は、内容物である清涼飲料水等を充填するガラスやプラスチック製の容器本体に、内容物に関する説明や宣伝広告等の表示を直接印刷するか、又は、同様の印刷をした主ラベルを装着したものが公知である。
【０００３】
主ラベルとしては、容器本体をリサイクルし易くするために、切断することで容器本体から簡単に外すことができるように、熱収縮性を有するシュリンクラベルや弾性伸縮性を有するストレッチラベル等の非接着性（接着剤を使用することなく容器本体に装着される）のラベルが一般的に採用されている。
【０００４】
ところで、上述したような飲料商品では、販売促進のために、飲料商品の購入者が応募することにより、種々の景品が当たるといった景品キャンペーン等が頻繁に行われており、そのようなキャンペーンを行う場合には、応募シールやキャンペーン専用の表示を容器に施すべく、前記直接印刷による表示や容器本体に装着された通常の主ラベル以外に、応募シールやキャンペーン用のタックラベルを容器に別途装着することが行われている。
【０００５】
【発明が解決しようとする課題】
しかしながら、上述した容器表面の印刷や主ラベルにも、商標、内容物の説明、バーコード等の種々の表示が施されているので、種々の表示を隠蔽しないように、上述したキャンペーン用のタックラベル等を粘着しようとすると、タックラベル自体にあまり大きな表示面積を確保することができず、こういったタックラベルを使用しても十分な宣伝効果を発揮することができないといった問題がある。
【０００６】
また、例えば主ラベルにタックラベルを貼着する場合、主ラベルに施された種々の表示のうち、バーコード以外の表示については、その一部がタックラベルによって隠蔽されたとしてもそれ程大きな影響はないが、バーコードについては、その一部がタックラベルによって隠蔽されるだけで、店頭におけるバーコードの読み取りが不可能となるため、タックラベルの貼着位置には、十分に注意を払う必要がある。
【０００７】
しかも、従来の上記タックラベルは、一枚のシート体から構成されていることから、表示面積（領域）がその両面だけであり、少ないという欠点があった。
【０００８】
そこで、本発明の課題は、表示領域を大きくすることができると共に、容器本体に直接又は、容器本体に装着されている主ラベルに貼着する場合でも、それぞれに施された表示を隠蔽しにくく、しかも、綺麗にかつ確実に装着することのできる多層タックラベル付き容器を提供することにある。
【０００９】
【課題を解決するための手段】
上記の課題を解決するため、本発明は、外面に３次曲面が形成された容器本体を有し、該容器本体に多層タックラベルが貼着された容器であって、前記多層タックラベルは、透明な貼着部を有する第一ラベルと、前記貼着部に重なることなく該貼着部に連設された表示部に剥離可能に貼着され且つ表示印刷層が設けられた第二ラベルとを備え、第一ラベルは、前記貼着部の大きさが前記表示部の大きさに比べて小さく設定され、貼着部が容器本体の３次曲面に貼着され、表示部は被接着状態であることを特徴とする。
【００１０】
以上のように構成されたタックラベルでは、被貼着体に貼着される貼着部が透明であるため、被貼着体の印刷等を隠蔽することはない。特に、被貼着体に施されたバーコードに一部かかったとしても、そのバーコードの読み取りが可能である。
【００１１】
しかも、このタックラベルは、貼着部に連設された表示部を備えているので、例えば表示部が主ラベルの外側に張り出すように、このタックラベルの貼着部を主ラベルに貼着することにより、表示部の面積をある程度大きくしても、主ラベルに施された表示がタックラベルの表示部によって必要以上に隠蔽されることがなく、また、第二ラベルを含む表示部分にある程度の表示領域を確保することができるので、このタックラベルによって、十分な宣伝効果を発揮させることができる。
【００１２】
また、タックラベルは、第一ラベルと第二ラベルとの多層構造であるため、それぞれの表裏面を表示面とすることができ、表示領域を大きくすることができる。
【００１３】
更に、前記第一ラベルは、透明なラベル基材と、該ラベル基材の裏面に積層された透明な粘着層と、ラベル基材の表面に積層された表示印刷層と、前記貼着部を残すように、粘着層に積層されたマスク印刷層とを備え、前記第二ラベルは、ラベル基材と、該ラベル基材の裏面に積層された粘着層と、ラベル基材の表面に積層された表示印刷層とを備えているのが好ましい。
【００１４】
更に、前記第二ラベルのラベル基材は、蒸着フィルムからなる場合には、美しい金属光沢を有し、隠蔽性を確保できると共に、一枚のフィルムで透明部分と蒸着部分を形成する場合に比し、貼着部の透明部分と、蒸着を有する表示部分とを容易に分けることができ、金属蒸着を有したタックラベルを簡単に製造できる。また、前記表示部は、容器本体から離間して該容器本体の胴部外周面から起立するようにしてもよい。
【００１５】
【発明の実施の形態】
以下、本発明の一実施の形態について図面を参照して説明する。図１乃至図３に示すように、この多層タックラベル１は、例えば飲料商品の販売促進のために行われるキャンペーン用の表示を施したものであり、ポリエチレンテレフタレート製の丸ボトルからなる容器本体Ｂの胴部に主ラベル（被貼着体）として装着された、内容物に関する説明（図示せず）やバーコードＣ等の表示が施された筒状のシュリンクラベルＬの上に貼着されるものである。
【００１６】
前記タックラベル１は、図１及び図２に示すように、第一ラベル３とこの第一ラベル３に剥離可能に貼着された第二ラベル５とからなる。前記第一ラベル３は、容器本体Ｂの胴部に装着されたシュリンクラベルＬに貼着される透明な貼着部１ａと、この貼着部１ａに連設された表示部１ｂとから構成されている。貼着部１ａは、表示部１ｂをシュリンクラベルＬに対して所定の状態に保持することができる程度に、その大きさを表示部１ｂに比べて十分小さく設定してある。
【００１７】
前記第一ラベル３は、貼着部１ａ及び表示部１ｂを主構成するポリプロピレンフィルムからなる透明なラベル基材１１と、このラベル基材１１の裏面側の全面に積層された透明な粘着層１２と、ラベル基材１１の表面側に、表示部１ｂの全領域を雇うように積層された、キャンペーン用の表示が施された表示印刷層１３と、この表示印刷層１３の全面に積層された透明なシリコーン等を含有した剥離層１０と、粘着層１２の露出面のうち、表示部１ｂの全領域を覆い且つ前記貼着部を残すように、積層されたマスク印刷層１４とから構成されている。
尚、前記ラベル基材１１及び粘着層１２から構成される貼着部１ａは透明であると共に、マスク印刷層１４に覆われた表示部１ｂは、実質上非接着の状態となっている。
【００１８】
前記ラベル基材１１は、上述したポリプロピレンフィルム以外に、ポリエステルフィルム等の種々の合成樹脂フィルムによって形成することができ、前記表示印刷層１３及びマスク印刷層１４は、紫外線硬化インキ等を凸版輪転印刷またはスクリーン印刷、グラビア印刷等によって塗布し形成することができる。
【００１９】
前記第二ラベル５は、前記表示部１ｂと同じ形状を呈し、ポリプロピレンフィルムからなるラベル基材１７と、このラベル基材１７の裏面側の全面に積層された粘着層１８と、ラベル基材１７の表面に積層され且つキャンペーン用の表示が施された表示印刷層２０とから構成されている。
尚、粘着層１８として剥離自在な弱粘着タイプを使用した場合には、前記剥離層１０を無くすることもできる。
【００２０】
前記ラベル基材１７は、ポリプロピレンフィルム以外に、ポリエステルフィルム等の種々の合成樹脂フィルム、または、隠蔽性のある合成紙等を使用することができる。また、光沢（メタリック調）のあるアルミ蒸着フィルムやホイル紙を使用することも可能である。
【００２１】
前記表示印刷層２０は、紫外線硬化インキ等を用いて凸版輪転印刷またはスクリーン印刷、グラビア印刷等によって形成することができる。
【００２２】
以上のように構成されたタックラベル１は、図１に示すように、第二ラベル５の表示印刷層２０が容器本体Ｂに装着されたシュリンクラベルＬの上端縁から上方に張り出すように、第一ラベル３の貼着部１ａをシュリンクラベルＬの上端部に貼着する。このとき、第一ラベル３の表示部１ｂ及び第二ラベル５が、容器本体Ｂの胴部外周面から上方に起立して小径の首部分から離間した状態となって目立ちやすくなる。このため、キャンペーン用のタックラベル１による十分な宣伝広告効果が発揮されると共に、表示部１ｂによってシュリンクラベルＬに表示された商標や内容物の説明等がほとんど隠蔽されることがない。
【００２３】
しかも、第一ラベル３と第二ラベル５の二層構造であるため、コシが強くなり、カールが起き難い。
【００２４】
また、このタックラベル１は、上述したように、貼着部１ａが透明になっているので、貼着部１ａがシュリンクラベルＬの表示部分に一部かかったとしても、その表示が部分的に隠蔽されることがなく、シュリンクラベルＬによる表示効果が阻害されることもない。
【００２５】
更に、図３に示す如く第二ラベル５を第一ラベル３から剥離させた場合には、第二ラベル５の裏面には粘着層が設けられていることから、例えば、はがき等に貼着して応募ラベルとして使用することもできる。しかも、第一ラベル３の貼着部１ａが露出するため、この貼着部１ａに設けられた表示印刷層１３を目視できるようになる。
【００２６】
また、上記タックラベル１は、第一ラベル３の基材は透明フィルムを使用し、第二ラベル５の基材に例えば蒸着フィルムを使用することにより、一枚のフィルムに部分的に金属蒸着部分を形成する場合に比し、金属蒸着による光沢を有するタックラベル１を簡単に製造できる。
【００２７】
容器本体Ｂがこのような丸ボトルのこ場合は、通常、ラベリング装置において、ボトルを周方向に位置決めした状態でラベリングを行うことは困難なので、タックラベル１の貼着部１ａが、図１に示すように、シュリンクラベルＬに表示されたバーコードＣの上端部に一部かかる場合もあるが、貼着部１ａが透明であるので、タックラベル１によってバーコードＣが部分的に隠蔽されることもなく、装着されたタックラベル１が店頭におけるバーコードＣの読み取りの支障となることもない。
【００２８】
また、貼着部１ａは、上述したように、表示部１ｂに比べてその大きさが十分小さく設定されているので、図１に示すように、タックラベル１の貼着部１ａを貼着しようとするシュリンクラベルＬの表面が、丸ボトルである容器本体Ｂの胴部外周面に沿って３次曲面となるような場合でも、ラべリング装置によつて貼着部１ａを確実にシュリンクラベルＬの表面に押さえ付けることができる。
【００２９】
従って、貼着部１ａがシュリンクラベルＬの表面から部分的に浮き上がった貼着不良の状態となったり、貼着部１ａや表示部１ｂに皺が発生したりすることがなく、綺麗で見栄えの良い状態にタックラベル１を自動装着することができる。
【００３０】
尚、容器本体Ｂが上述した丸ボトルの場合は、貼着部１ａの大きさを小さくすればする程、タックラベル１がラベリング装置による自動装着に適した形態となるが、貼着部１ａの大きさを極端に小さくすると、貼着されたタックラベル１が容易に剥がれたり、表示部１ｂを起立させた状態に保持することができなくなるので、貼着部１ａについてもある軽度の大きさが必要であることはいうまでもない。
【００３１】
また、この実施の形態では、上述したように表示部１ｂ全体が非接着の状態となっているが、図４に示すように、マスク印刷層１４の形成領域を表示部１ｂよりも小さくすることによって、表示部１ｂの貼着部１ａ側に一部粘着層１２が露出した接着可能領域αを形成し、透明な貼着部１ａから表示部１ｂの接着可能領域αまでを、主ラベルであるシュリンクラベルＬに貼着するようにしてもよい。
【００３２】
また、この実施の形態では、上述したように、貼着部１ａ及び表示部１ｂの全領域に粘着層１２を形成し、この粘着層１２の表示部１ｂの全領域をマスク印刷層１４によって覆うことにより、表示部１ｂを非接着の状態としているが、例えば、貼着部の全領域にだけ粘着層を形成することで、マスク印刷層を省略することも可能である。しかし、貼着部のみに粘着層を形成するには、特殊な塗工機が必要となるため好ましくなく、マスク印刷は、単に非接触とするだけでなく、マスク印刷によって表示を行うこともできる。
【００３３】
図５は更に本発明の他の実施の形態を示す。即ち、同図（イ）に示すタックラベル１は、第一ラベル３と第二ラベル５の上部２２が互いに接着して連結された状態となっており、第二ラベル５の下方側を剥離することにより、第一ラベル３の表示部分を目視することが可能となる。
【００３４】
また、同図（ロ）に示すように、タックラベル１は、第一ラベル３の表示部１ｂに小形状の第二ラベル５を貼着しても、あるいは、第二ラベルにのみ切り込み線を設け、第二ラベルの一部分を剥離できるようにしても良い。
更に、ラベルは、２層に限定されるものではなく、３層以上（第一ラベル、第二ラベル、第三ラベル…を積層する）に設けることも可能であり、少なくとも第一ラベル及び第二ラベルを積層したものであればよい。
【００３５】
上述した実施の形態では、容器本体Ｂが丸ボトルである場合について説明したが、図６に示すように、容器本体Ｂが角ボトルの場合は、装着されたシュリンクラベルＬの表面がフラット面になるので、タックラベル１の貼着部１ａの大きさが上述したタックラベル１の貼着部１ａに比べてある程度大きくても、ラベリング装置によって見栄えの良い状態にタックラベルを自動装着することができる。
【００３６】
以上のように、このタックラベルは、容器のリサイクルを容易に行うことができるように、容器本体Ｂに装着された非接着性のシュリンクラベルＬに貼着部１ａを貼着しているにも拘わらず、シュリンクラベルＬの表示部分を隠蔽することなく、十分な宣伝広告効果を発揮する大きな表示部１ｂを確保することができるので、キャンペーン用の付加的な表示を施すために別途装着されるラベルとして最良の形態であるといえる。
【００３７】
この実施形態では、容器本体Ｂに装着される主ラベルとしてシュリンクラベルＬを採用した場合について説明したが、主ラベルはシュリンクラベルに限定されるものではなく、ストレッチラベル等の種々のラベルを使用することができる。
また、主ラベルに代えて容器本体に直接印刷が施される場合であっても、貼着部が直接印刷を覆う位置に貼着することができる。
【００３８】
また、上述した実施形態では、主ラベルであるシュリンクラベルＬの上端部にタックラベル１の貼着部１ａを貼着するようにしているが、これに限定されるものではなく、例えば、容器本体Ｂが角ボトル又は角形のカップ状容器の場合は、表示部１ｂが容器本体Ｂの胴部側方に張り出すように、シュリンクラベルＬの正面部分の側縁部に貼着部１ａを貼着する等、種々の容器に種々の装着態様を採用することができる。
【００３９】
【発明の効果】
以上のように本発明は、外面に３次曲面が形成された容器本体を有し、該容器本体に多層タックラベルが貼着された容器であって、前記多層タックラベルは、透明な貼着部を有する第一ラベルと、前記貼着部に重なることなく前記貼着部と連設された表示部に剥離可能に貼着され且つ表示部が設けられた第二ラベルとを備え、第一ラベルは、前記貼着部の大きさが前記表示部の大きさに比べて小さく設定され、貼着部が容器本体の３次曲面に貼着され、表示部は被接着状態であるので、第一ラベル及び第二ラベルのそれぞれに表示部分を設けることができ、表示領域を大きくすることができる。
【００４０】
しかも、第一ラベルは透明な貼着部を有するため、タックラベルを容器又は主ラベルの上に貼着する場合でも、容器又は主ラベルに施された表示を隠蔽し難い。
【００４１】
また、第一ラベルと第二ラベル５の多層層構造であるため、コシが強くなり、カールし難くなる。
【００４２】
更に、前記貼着部の大きさを前記表示部の大きさに比べて小さく設定した場合には、丸ボトルである容器本体の胴部外周面に沿って３次曲面となるような場合でも、貼着部を確実に容器又は主ラベルの表面に、浮き上がることなく、また、皺が発生したりすることがなく、貼着することができ、表示領域を十分確保しつつ、綺麗で見栄えが良くなる。
【図面の簡単な説明】
【図１】本発明の一実施の形態を示す全体斜視図。
【図２】同多層タックラベルを示し、（イ）は正面図、（ロ）は（イ）のＸ一Ｘ線に沿った断面図。
【図３】同多層タックラベルを示し、（イ）は第二ラベルを剥離した第一ラベルの正面図、（ロ）は（イ）のＹ一Ｙ線に沿った断面図。
【図４】同上の多層タックラベルの変形例を示し、（イ）は正面図、（ロ）は（イ）のＺ一Ｚ線に沿った断面図。
【図５】同上の多層タックラベルの変形例を示し、（イ）は斜視図、（ロ）は正面図。
【図６】同他の実施形態を示す斜視図。
【符号の説明】
１…多層タックラベル、１ａ…貼着部、１ｂ…表示部、３…第一ラベル、５…第二ラベル、１１…ラベル基材、１２…粘着層、１３…表示印刷層、１０…剥離層（シリコン層）、１４…マスク印刷層、１７…ラベル基材、１８…粘着層、２０…表示印刷層、Ｂ…容器本体、Ｌ…シュリンクラベル（主ラベル）、Ｃ…バーコード
【図１】
0004557101.tif 000002
【図２】
0004557101.tif 000003
【図３】
0004557101.tif 000004
【図４】
0004557101.tif 000005
【図５】
0004557101.tif 000006
【図６】
0004557101.tif 000007